(57)【要約】【課題】マルチパス歪み等により振幅の変動の影響を受けた受信信号を直接補正する。【解決手段】受信装置であり、第１の無線信号１０１から変調信号を復調する復調手段３と、非振幅変調により変調され、上記第１の無線信号１０１の送信元から送信される第２の無線信号１００の振幅レベルを検出する手段１と、上記第２の無線信号１００の振幅レベルに応じて、上記第１の無線信号１０１の振幅を補正する手段２Ａと、を備える。【選択図】  図１
2004328031.tif 000002
【特許請求の範囲】
【請求項１】
第１の無線信号から変調信号を復調する復調手段と、
非振幅変調により変調され、前記第１の無線信号の送信元から送信される第２の無線信号の信号レベルを検出する手段と、
前記第２の無線信号の振幅レベルに応じて、前記第１の無線信号の振幅を補正する手段と、を備える受信装置。
【請求項２】
前記第１の無線信号と第２無線信号とを含む受信信号を受信する手段と、
前記受信信号から前記第１の無線信号と第２の無線信号とを分離する手段と、をさらに備える請求項１に記載の受信装置。
【請求項３】
前記復調手段は、振幅変調された前記第１の無線信号から変調信号を復調する請求項１または２に記載の受信装置。
【請求項４】
前記復調手段は、角度変調された前記第１の無線信号から変調信号を復調する請求項１または２に記載の受信装置。
【請求項５】
前記復調手段は、周波数変調された前記第１の無線信号から変調信号を復調する請求項１または２に記載の受信装置。
【請求項６】
前記第２の無線信号は、角度変調された信号である請求項１から５のいずれかに記載の受信装置。
【請求項７】
前記第２の無線信号は、周波数変調された信号である請求項１から５のいずれかに記載の受信装置。
【発明の詳細な説明】
【０００１】
【発明の属する技術分野】
本発明は、無線信号の受信装置に関するものである。
【０００２】
【従来の技術】
無線信号が複数のパスを通って受信されることによるマルチパス歪みでは、経路長の異なる遅延波が加算される結果、受信信号の振幅および位相が変動する。
【０００３】
従来、このようなマルチパス歪みにおける振幅の変動に対しては、必ずしも有効な対策は取られてこなかった。
【０００４】
この種の技術としては、例えば、下記特許文献１が知られている。この特許文献１では、マルチパスを検出したマルチパス検出信号を可変局部発振回路に出力し、検波される変調信号の変調が浅くなるように補正する。この技術では、このような制御により、検波された信号に歪みが発生するものの、マルチパス歪みによる異常なノイズの発生を抑制している。
【０００５】
しかし、特許文献１の技術は、マルチパス歪みの影響を可変局部発振回路の発振周波数を制御することにより補正するものであり、直接振幅の変動の影響を補正する技術ではなかった。
【０００６】
【特許文献１】
特開平９−１６３３２２（要約書）
【０００７】
【発明が解決しようとする課題】
本発明はこのような従来の技術の問題点に鑑みてなされたものである。すなわち、本発明の課題は、マルチパス歪み等により振幅の変動の影響を受けた受信信号を直接補正する技術を提供することにある。
【０００８】
【課題を解決するための手段】
本発明は上記課題を解決するために、以下の手段を採用した。すなわち、本発明は、受信装置であり、第１の無線信号から変調信号を復調する復調手段と、
非振幅変調により変調され、上記第１の無線信号の送信元から送信される第２の無線信号の振幅レベルを検出する手段と、
上記第２の無線信号の振幅レベルに応じて、上記第１の無線信号の振幅を補正する手段と、を備えるものである。
【０００９】
ここで、非振幅変調とは、例えば、角度変調であり、外乱がなければ基本的には振幅レベルの変動がない、または、極めて少ない変調方式である。一般的には、角度変調には、周波数変調、位相変調が含まれる。したがって、上記第２の無線信号は、例えば、角度変調された無線信号である。上述のように、この第２の無線信号は、周波数変調された無線信号でもよいし、位相変調された無線信号でもよい。
【００１０】
この受信装置は、この非振幅変調により変調された第２の無線信号の振幅レベルを検出する。そして、その振幅レベルの検出結果に応じて上記第１の無線信号の振幅を補正する。この第１の無線信号と第２の無線信号とが同一の送信元から送信された無線信号である場合、同様の外乱により、振幅レベルの変動を受ける可能性が高い。ここで、外乱とは、例えば、マルチパスによる振幅の変動等である。
【００１１】
その結果、本来振幅変動のない第２の無線信号における振幅レベルの変動を検出すれば、第１の無線信号の振幅レベルの変動を補正でき、補正後の第１の無線信号から変調信号を復調できる。なお、復調を検波ともいう。
【００１２】
好ましくは、上記受信装置は、上記第１の無線信号と第２無線信号とを含む受信信号を受信する手段と、
上記受信信号から上記第１の無線信号と第２の無線信号とを分離する手段と、をさらに備えるものでもよい。
【００１３】
また、上記第１の無線信号と第２の無線信号とが同一の無線信号であってもよい。例えば、上記受信装置が、角度変調された無線信号の振幅レベルを検出し、その検出結果に基づき角度変調された受信信号の振幅レベルを補正し、振幅レベルが補正された無線信号から角度変調信号を復調するようにしてもよい。
【００１４】
好ましくは、上記復調手段は、振幅変調された上記第１の無線信号から変調信号を復調するものでもよい。
【００１５】
好ましくは、上記復調手段は、角度変調された上記第１の無線信号から変調信号を復調するものでもよい。
【００１６】
好ましくは、上記復調手段は、周波数変調された上記第１の無線信号から変調信号を復調するものでもよい。
【００１７】
【発明の実施の形態】
以下、本発明の一実施の形態を図１の図面に基づいて説明する。
【００１８】
＜構成＞
図１は本実施の形態に係る受信装置のブロックである。ここでは、アナログテレビジョン放送を受信する受信装置を例に、本発明の一実施の形態を説明する。このアナログテレビジョン放送では、映像は振幅変調され、音声は周波数変調されて放送されている。
【００１９】
この受信装置は、高周波信号を受信するアンテナ５と、アンテナ５で受信された高周波を中間周波数に変換する高周波チューナ６と、高周波チューナ６からの中間周波数に変換された受信信号を帯域制限する帯域フィルタ７と、帯域制限された受信信号のうち、周波数変調された音声変調信号を含む受信信号１００に対して振幅レベルを検出する振幅レベル検出部１と、帯域制限された受信信号のうち、振幅変調された映像変調信号を含む受信信号１０１に対してマルチパス補正を実行するマルチパス補正部２Ａと、マルチパス補正後の受信信号１０１から映像信号を検波する映像検波部３と、上記周波数変調された音声変調信号を含む受信信号１００に対してマルチパス補正を実行するマルチパス補正部２Ｂと、マルチパス補正後の受信信号１００から音声信号を周波数検波する周波数検波部４とを有している。
【００２０】
図１に示すように、アンテナ５で受信された受信信号は、高周波チューナ６で中間周波数に変換され、Ａ／Ｄ変換される。以下、この受信装置では、受信信号は、デジタルデータとして処理される。そして、Ａ／Ｄ変換された受信信号は、帯域フィルタ７に入力される。帯域フィルタ７は、例えば、テレビジョン放送の映像変調信号（振幅変調された信号）と音声変調信号（周波数変調された信号）を、その周波数帯域に応じて弁別する。アンテナ５、高周波チューナ６、および帯域フィルタ７に関する技術は広く知られているので、本実施形態では、その詳細な構成を省略する。
【００２１】
図１では、帯域フィルタ７で弁別された受信信号として、受信信号１００と受信１０１とが例示されている。ここでは、受信信号１００が音声変調信号を含む、周波数変調された信号であると仮定する。また、受信信号１０１が映像変調信号を含む、振幅変調された信号であると仮定する。
【００２２】
振幅レベル検出部１は、受信信号１００の振幅レベルを検出する。このような振幅レベルの検出については、例えば、包絡線検波回路により実現できることは周知である。また、デジタル信号では、例えば、信号の絶対値に対する積分計算により、包絡線検波と同様の処理を実現できる。上述のように、受信信号１００はアンテナ５から受信した信号のうちの周波数変調された音声変調信号である。
【００２３】
周波数変調された信号は、本来は、振幅レベルが一定である。しかし、周波数変調された信号がマルチパスで受信された場合、振幅および位相の変動を受ける。そのため、振幅レベル検出部１の出力は、マルチパスで受信された信号に対して一定にはならない。すなわち、振幅レベル検出部１の出力は、マルチパスの影響を受けた周波数変調信号に対して、その振幅変動の程度を示す。
【００２４】
マルチパス補正部２Ａは、上記振幅レベル検出部１の出力信号にしたがい、受信信号１０１の振幅変動を補正する。マルチパス補正部２Ａは、例えば、振幅レベル検出部１の出力の逆数を受信信号１０１に乗算する乗算回路である。すなわち、マルチパス補正部２Ａは、受信信号１０１を振幅レベル検出部１の出力信号値で除算する。
【００２５】
上述のように、受信信号１０１は、アンテナ５から受信した信号のうちの振幅変調された映像変調信号である。すなわち、受信信号１０１は、映像変調信号により、振幅レベルが変化する信号である。ただし、この受信信号１０１は、そのような本来の振幅変調の他、マルチパスの影響により、振幅レベルが変動している場合がある。この場合、受信信号１０１は、振幅変調された信号であるため、直接その変動の程度を検出することは困難である。
【００２６】
一方、受信信号１００、１０１は、ともに、同一の放送局から同一の経路を経て受信された信号である。そのため、マルチパスの影響により受信信号１０１の振幅レベルが変動する場合には、受信信号１００の振幅レベルも同様に変動する。そして、受信信号１００は、周波数変調された信号であるため、本来振幅レベルの変動のない信号である。そのため、受信信号１００の振幅レベルの変動は、マルチパス等の外乱に起因する振幅変動である可能性が高い。そこで、受信信号１００の振幅レベルの変動を求め、その変動をキャンセルするように補正すればマルチパス等の外乱に起因する振幅変動を抑制できることになる。
【００２７】
映像検波部３は、マルチパス補正部２Ａにより補正された受信信号１０１を復調する。受信信号１０１は、振幅変調された信号であるため、この復調は、通常の振幅変調波に対する復調処理、例えば、同期検波によればよい。ただし、映像検波部３の処理は、同期検波に限定されるものではない。
【００２８】
同様に、マルチパス補正部２Ｂは、上記振幅レベル検出部１の出力信号にしたがい、受信信号１００の振幅変動を補正する。マルチパス補正部２Ｂの構成および作用は、マルチパス補正部２Ａと同様である。ただし、マルチパス補正部２Ｂは、音声信号によって周波数変調された受信信号１００を補正する。
【００２９】
周波数検波部４は、マルチパス補正部２Ｂにより補正された受信信号１００を復調する。周波数検波部４は、一般的なＦＭ検波モジュールである。このようなＦＭ検波モジュールとしては、例えば、ＰＬＬ（Ｐｈａｓｅ  Ｌｏｃｋｅｄ  Ｌｏｏｐ）検波方式等が知られている。ただし、本発明の実施は、周波数検波部４の構成によって限定されるものではない。
【００３０】
＜作用＞
以上述べたように、この受信装置では、帯域フィルタ７が、受信信号を受信号１００と１０１に弁別する。このうち、受信信号１００は、本来振幅レベルの変動のない周波数変調信号である。また、受信信号１０１は、振幅変調信号である。
【００３１】
そして、振幅レベル検出部１が、受信信号１００の振幅レベルの変動を検出し、その検出結果をマルチパス補正部２Ａおよび２Ｂに入力する。受信信号１００は、本来振幅レベルの変動のない信号（非振幅変調信号という）であるため、その振幅レベルの変動は、マルチパス等の外乱による振幅変動を示している。
【００３２】
そして、マルチパス補正部２Ａは、上記受信信号１００の振幅レベルの変動に基づき、受信信号１０１の振幅レベルを補正する。また、マルチパス補正部２Ｂは、上記受信信号１００の振幅レベルの変動に基づき、受信信号１００自体の振幅レベルを補正する。
【００３３】
このようにして、振幅レベル検出部１により、本来振幅レベルの変動のない受信信号１００の受信振幅レベルを検出するので、その検出結果は、マルチパス等の外乱による振幅変動を示すことになる。そのため、乗算器等の簡易な構成より、マルチパス補正部２Ａ、２Ｂを構成することができる。このように、本受信装置によれば、受信信号の振幅変動を検出し、その受信信号を直接演算することにより、マルチパス等の影響による振幅変動を補正できる。
【００３４】
＜変形例＞
上記実施の形態では、アナログテレビジョン放送の受信において、マルチパス等の影響による振幅変動を補正する受信装置の構成を示した。しかし、本発明の実施は、アナログテレビジョン放送の受信に限定されるものではない。
【００３５】
また、上記実施の形態では、振幅レベルを検出するための受信信号として周波数変調された受信信号を利用した。しかし、本発明の実施において、振幅レベル検出部１への入力信号は、周波数変調された無線信号に限定されものではない。すなわち、本発明は、周波数変調以外の方式、例えば、位相変調等の変調方式で変調された無線信号を含む信号の受信に適用できる。
【００３６】
【発明の効果】
以上説明したように、本発明によれば、マルチパス歪み等により振幅の変動の影響を受けた受信信号を直接補正することができる。
【図面の簡単な説明】
【図１】本発明の一実施の形態に係る受信装置の構成図
【符号の説明】
１  振幅レベル検出部
２Ａ、２Ｂ  マルチパス補正部
３  映像検波部
４  周波数検波部
５  アンテナ
６  高周波チューナ
７  帯域フィルタ
１００  受信信号（周波数変調された受信信号）
１０１  受信信号（振幅変調された受信信号）
【図１】
2004328031.tif 000003